(57)【要約】【課題】ＧＰＳ（Global Positioning System）信号とＧＰＳアシストデータを用いて測位する通信端末の利便性の向上に貢献した通信端末を提供する。【解決手段】通信端末は、ＧＰＳ信号を受信するＧＰＳ信号受信部と、ＧＰＳアシストデータを取得する無線通信部と、ＧＰＳ信号の受信信号強度に応じて、ＧＰＳアシストデータを更新する間隔を設定するＧＰＳアシストデータ取得制御部と、を備える。【選択図】図１
2014169903.tif 000002
【特許請求の範囲】
【請求項１】
ＧＰＳ（Global Positioning System）信号を受信するＧＰＳ信号受信部と、
ＧＰＳアシストデータを取得する無線通信部と、
前記ＧＰＳ信号の受信信号強度に応じて、前記ＧＰＳアシストデータを更新する間隔を設定するＧＰＳアシストデータ取得制御部と、
を備えた、ことを特徴とする通信端末。
【請求項２】
前記ＧＰＳ信号の受信信号強度を測定するＧＰＳ受信信号強度測定部を、さらに備えたことを特徴とする請求項１に記載の通信端末。
【請求項３】
前記ＧＰＳ信号受信部は、複数のＧＰＳ信号を受信し、
前記ＧＰＳ受信信号強度測定部は、受信した前記複数のＧＰＳ信号の受信信号強度をそれぞれ測定し、
前記ＧＰＳアシストデータ取得制御部は、
前記複数のＧＰＳ信号のうち、その受信信号強度が所定値以上になる数がＧＰＳ測位に必要な数以上であるか否かを判定し、
前記判定した結果に基づいて、前記ＧＰＳアシストデータを更新する間隔を設定する、ことを特徴とする請求項２に記載の通信端末。
【請求項４】
前記ＧＰＳアシストデータ取得制御部は、前記判定した結果において、
前記複数のＧＰＳ信号のうち、その受信信号強度が所定値以上になる数がＧＰＳ測位に必要な数より少ない場合には、前記ＧＰＳアシストデータを更新する間隔を短くする、ことを特徴とする請求項３に記載の通信端末。
【請求項５】
前記ＧＰＳアシストデータ取得制御部は、前記判定した結果において、
前記複数のＧＰＳ信号のうち、その受信信号強度が所定値以上になる数がＧＰＳ測位に必要な数より少ない場合であっても、前記ＧＰＳアシストデータを更新する間隔を短くした場合に次回の前記ＧＰＳアシストデータの更新タイミングが遅くなると判定した場合には、前記ＧＰＳアシストデータを更新する間隔を変更しない、ことを特徴とする請求項４に記載の通信端末。
【請求項６】
前記ＧＰＳアシストデータ取得制御部は、前記ＧＰＳアシストデータを更新する間隔を短く設定した状態において、
前記複数のＧＰＳ信号のうち、その受信信号強度が所定値以上になる数がＧＰＳ測位に必要な数以上であると判定した場合には、前記ＧＰＳアシストデータを更新する間隔を短くする前の状態に戻す、ことを特徴とする請求項４に記載の通信端末。
【請求項７】
前記無線通信部は、
前記ＧＰＳアシストデータを提供するＧＰＳアシストサーバとネットワークを介して接続された電子機器から、近距離無線通信により前記ＧＰＳアシストデータを取得することを特徴とする請求項１乃至６のいずれか一に記載の通信端末。
【請求項８】
受信したＧＰＳ信号の受信信号強度を測定するステップと、
測定した前記ＧＰＳ信号の受信信号強度に応じて、前記ＧＰＳアシストデータを更新する間隔を設定するステップと、
設定された前記間隔で、前記ＧＰＳアシストデータを取得するステップと、
を含むことを特徴とするデータ更新方法。
【請求項９】
前記ＧＰＳアシストデータを更新する間隔を設定するステップは、
複数の前記受信したＧＰＳ信号のうち、その受信信号強度が所定値以上になる数がＧＰＳ測位に必要な数以上であるか否かを判定し、前記判定した結果に基づいて、前記ＧＰＳアシストデータを更新する間隔を設定する、ことを特徴とする請求項８に記載のデータ更新方法。
【請求項１０】
受信したＧＰＳ信号の受信信号強度を測定する処理と、
測定した前記ＧＰＳ信号の受信信号強度に応じて、ＧＰＳアシストデータを更新する間隔を設定する処理と、
をコンピュータに実行させることを特徴とするプログラム。
【発明の詳細な説明】
【技術分野】
【０００１】
本発明は、ＧＰＳ（Global Positioning System）信号を受信する機能を備える通信端末に関する。
【背景技術】
【０００２】
近年、携帯端末に、ＧＰＳによる位置測位機能を有する機種が増加している。ＧＰＳ測位機能を備えた携帯端末では、通常、Ａ−ＧＰＳ（Assisted-GPS）測位方式が用いられる。Ａ−ＧＰＳ測位方式では、携帯端末が位置登録中の基地局からＧＰＳアシストデータを取得し、取得したＧＰＳアシストデータを用いてＧＰＳ衛星を捕捉し、該ＧＰＳ衛星から送信されるＧＰＳ信号とＧＰＳアシストデータに基づいて、現在位置を計算する。ここで、ＧＰＳアシストデータには、利用可能な全てのＧＰＳ衛星の概略の軌道情報（アルマナックデータ）と、現在位置の測位計算に用いるＧＰＳ衛星の詳細な軌道情報（エフェリメスデータ）が含まれる。
【０００３】
携帯端末が基地局から取得するＧＰＳアシストデータは、移動体ネットワークに接続されたＧＰＳアシストサーバから配信される。ＧＰＳアシストサーバは、ＳＵＰＬ（Secure User Location Server）サーバとも言われる。携帯端末でＧＰＳ測位を行う場合、測位にかかる時間を短縮するために、携帯端末は有効なＧＰＳアシストデータ及び前回の測位状態を内部に保持し、ＧＰＳ測位に使用している。
【０００４】
特許文献１には、ＧＰＳ測位に要する消費電力を低減するため、ＧＰＳ測位演算で取得した測位情報に応じて間欠受信動作をさせる制御方法が開示されている。具体的には、例えば、複数のＧＰＳ受信信号のＳＮ比が大きいものから数えてｎ番目のＳＮ比がしきい値以上の場合にはデューティ比を５０％にし、しきい値以下の場合にはデューティ比を１００％にする。これにより、一定の測位性能を保ちつつ、消費電力を低減することが可能になる。
【先行技術文献】
【特許文献】
【０００５】
【特許文献１】特開２００９−２７６１９８号公報
【発明の概要】
【発明が解決しようとする課題】
【０００６】
以下の分析は、本発明により与えられる。
【０００７】
携帯端末内部に保持したＧＰＳアシストデータを用いてＧＰＳ測位を行う場合、ＧＰＳ衛星は地球の軌道上を周回しているため、時間の経過とともに、携帯端末内部に保持しているＧＰＳアシストデータと実際のＧＰＳ衛星配置にズレが生じる。このズレが大きくなると、ＧＰＳ信号の受信信号強度が弱い環境下では、ＧＰＳ受信信号品質が劣化していることに加えてサーチの範囲を広げなければならないため、ＧＰＳ測位が困難な状況になる。このような場合、一定時間経過後に、ネットワークから再度ＧＰＳアシストデータを取得するまで待たなければならず、ＧＰＳ測位に時間がかかってしまうという問題がある。
【０００８】
また、特許文献１のＧＰＳ測位の間欠受信動作では、消費電力の低減を実現できるが、ＧＰＳ測位時間を短縮する手段については、十分な検討がなされていない。
【０００９】
そこで、本発明は、ＧＰＳ信号とＧＰＳアシストデータを用いて測位する通信端末の利便性の向上に貢献した通信端末を提供することを目的とする。
【課題を解決するための手段】
【００１０】
本発明の第１の視点による通信端末は、ＧＰＳ信号を受信するＧＰＳ信号受信部と、ＧＰＳアシストデータを取得する無線通信部と、前記ＧＰＳ信号の受信信号強度に応じて、前記ＧＰＳアシストデータを更新する間隔を設定するＧＰＳアシストデータ取得制御部と、を備える。
【００１１】
本発明の第２の視点によるデータ更新方法は、受信したＧＰＳ信号の受信信号強度を測定するステップと、測定した前記ＧＰＳ信号の受信信号強度に応じて、前記ＧＰＳアシストデータを更新する間隔を設定するステップと、設定された前記間隔で、前記ＧＰＳアシストデータを取得するステップと、を含む。
【００１２】
本発明の第３の視点によるプログラムは、受信したＧＰＳ信号の受信信号強度を測定する処理と、測定した前記ＧＰＳ信号の受信信号強度に応じて、ＧＰＳアシストデータを更新する間隔を設定する処理と、をコンピュータに実行させる。
【発明の効果】
【００１３】
本発明の通信端末によれば、ＧＰＳ信号とＧＰＳアシストデータを用いて測位する通信端末の利便性の向上に貢献した通信端末を提供することができる。
【図面の簡単な説明】
【００１４】
【図１】一実施形態に係る通信端末の構成を示すブロック図である。
【図２】第１の実施形態に係る通信端末の構成を示すブロック図である。
【図３】第１の実施形態におけるＧＰＳ測位システムの概要を説明するための図である。
【図４】第１の実施形態に係る通信端末のＧＰＳアシストデータ取得制御部を説明するための図である。
【図５】第１の実施形態に係る通信端末のＧＰＳアシストデータ取得制御部を説明するための図である。
【図６】第１の実施形態に係る通信端末のＧＰＳアシストデータ取得制御部の動作を示すフローチャートである。
【図７】第２の実施形態におけるＧＰＳアシストデータの取得を説明するための図である。
【発明を実施するための形態】
【００１５】
まず、本発明の実施形態の概要について説明する。なお、実施形態の概要の説明において付記した図面参照符号は専ら理解を助けるための例示であり、図示の態様に限定することを意図するものではない。
【００１６】
本発明の一実施形態における通信端末１は、図１に示すように、ＧＰＳ信号Ｃ１を受信するＧＰＳ信号受信部２と、ＧＰＳアシストデータＣ２を取得する無線通信部３と、ＧＰＳ信号Ｃ１の受信信号強度に応じて、ＧＰＳアシストデータを更新する間隔Ｃ３を設定するＧＰＳアシストデータ取得制御部４と、を備える。
【００１７】
上記の構成によれば、ＧＰＳ信号の受信信号強度が弱い環境下において、ＧＰＳ信号の受信信号強度が弱くなっていることを検知し、検知したＧＰＳ信号の受信信号強度に基づいてＧＰＳアシストデータＣ２を更新するタイミングを早めることができる。そして、更新されたＧＰＳアシストデータＣ２でＧＰＳ測位をやり直すことで、ＧＰＳ測位にかかる時間を短縮することができる。
【００１８】
図２に示すように、通信端末１１は、ＧＰＳ信号Ｃ１の受信信号強度を測定するＧＰＳ受信信号強度測定部７を、さらに備えるようにしてもよい。
【００１９】
上記通信端末１１において、図２に示すように、ＧＰＳ信号受信部２は、複数のＧＰＳ信号Ｃ１＿ｉ（ｉ＝１〜ｎ）を受信し、ＧＰＳ受信信号強度測定部７は、受信した複数のＧＰＳ信号の受信信号強度Ｃ４_ｉ（ｉ＝１〜ｎ）をそれぞれ測定し、ＧＰＳアシストデータ取得制御部４は、複数のＧＰＳ信号Ｃ１＿ｉのうち、その受信信号強度Ｃ４＿ｉが所定値Ｐｔｈ以上になる数がＧＰＳ測位に必要な数（例えば、４つ）以上であるか否かを判定し、判定した結果に基づいて、ＧＰＳアシストデータを更新する間隔Ｃ３を設定するようにしてもよい。
【００２０】
上記通信端末１１において、ＧＰＳアシストデータ取得制御部４は、上記の判定した結果において、複数のＧＰＳ信号Ｃ１＿ｉのうち、その受信信号強度が所定値Ｐｔｈ以上になる数がＧＰＳ測位に必要な数（例えば、４つ）より少ない場合には、ＧＰＳアシストデータを更新する間隔Ｃ３を短くする（例えば、図４においてΔαからΔβにする）ようにしてもよい。
【００２１】
上記通信端末１１において、ＧＰＳアシストデータ取得制御部４は、上記の判定した結果において、複数のＧＰＳ信号Ｃ１＿ｉのうち、その受信信号強度が所定値Ｐｔｈ以上になる数がＧＰＳ測位に必要な数（例えば、４つ）より少ない場合であっても、ＧＰＳアシストデータを更新する間隔Ｃ３を短くした場合に、次回のＧＰＳアシストデータＣ２の更新タイミングが遅くなると判定した場合（例えば、図５の時刻β１のような場合）には、ＧＰＳアシストデータを更新する間隔Ｃ３を変更しないようにしてもよい。
【００２２】
上記通信端末１１において、ＧＰＳアシストデータ取得制御部４は、ＧＰＳアシストデータを更新する間隔Ｃ３を短く設定した状態において、複数のＧＰＳ信号Ｃ１＿ｉのうち、その受信信号強度が所定値Ｐｔｈ以上になる数がＧＰＳ測位に必要な数（例えば、４つ）以上であると判定した場合には、ＧＰＳアシストデータを更新する間隔Ｃ３を短くする前の状態に戻すようにしてもよい。
【００２３】
本発明の他の一実施形態における通信端末１１１は、図７に示すように、無線通信部（図７のＮＦＣ通信部２３）は、ＧＰＳアシストデータＣ２を提供するＧＰＳアシストサーバ（ＳＵＰＬサーバ）３００とネットワーク３０１を介して接続された電子機器（図７のＰＣ２２）から、近距離無線通信によりＧＰＳアシストデータＣ２を取得するようにしてもよい。
【００２４】
本発明の一実施形態におけるデータ更新方法は、受信したＧＰＳ信号の受信信号強度を測定するステップと、測定したＧＰＳ信号の受信信号強度（図２のＣ４＿ｉ）に応じて、ＧＰＳアシストデータを更新する間隔Ｃ３を設定する（図６では、Ｃ３をΔα、Δβのいずれかに設定している）ステップ（図６のＳ１１〜Ｓ１８）と、設定された間隔Ｃ３で、ＧＰＳアシストデータＣ２を取得するステップと、を含む。
【００２５】
ＧＰＳアシストデータを更新する間隔Ｃ３を設定するステップは、図６に示すように、複数の受信したＧＰＳ信号Ｃ１＿ｉのうち、その受信信号強度Ｃ４＿ｉが所定値Ｐｔｈ以上になる数がＧＰＳ測位に必要な数（例えば、４つ）以上であるか否かを判定し、判定した結果に基づいて、ＧＰＳアシストデータを更新する間隔Ｃ３を設定する（図６では、Ｃ３をΔα、Δβのいずれかに設定している）ようにしてもよい。
【００２６】
以下、本発明の各実施形態について、図面を参照して詳しく説明する。
【００２７】
［第１の実施形態］
（第１の実施形態の構成）
第１の実施形態の構成について、図２、図３を参照しながら説明する。図３は、第１の実施形態におけるＧＰＳ測位システムの概要を説明するための図である。図３において、ＧＰＳ測位システムは、通信端末１１と、ｎ個のＧＰＳ衛星１００ａ〜ｃと、基地局３０２と、ＳＵＰＬサーバ（ＧＰＳアシストサーバ）３００を含む。ここで、ｎ個のＧＰＳ衛星１００ａ〜ｃは、通信端末１１が捕捉する対象となるＧＰＳ衛星である。また、基地局３０２は、通信端末１１が位置登録している基地局である。また、ＳＵＰＬサーバ３００は、ＧＰＳアシストデータを記憶管理しているサーバであり、ネットワーク３０１に接続されている。
【００２８】
次に、図２は、通信端末１１の構成を示すブロック図である。図２において、実施形態の概要説明で参照した図１と同様の構成要素には、同じ参照符号を付している。通信端末１１は、図２に示すように、ＧＰＳ信号受信部２、無線通信部３、制御部５、記憶部８、音声信号処理部１３、操作部１４、表示部１５を含んで構成される。制御部５は、図示しないＣＰＵ及び入出力回路などにより構成され、操作部１４から供給される操作イベントに応じて装置の各部の動作を制御する。
【００２９】
記憶部８は、ＲＯＭ（Read Only Memory）及びＲＡＭ（Random Access Memory）から構成され、ワークエリア、プログラムエリア、及びデータエリアを備える。記憶部８のワークエリアには、制御部５の処理に用いる各種レジスタ・フラグデータが一時記憶される。記憶部８のプログラムエリアには、制御部５が備えたＣＰＵにより実行される各種プログラムが記憶される。図２において、制御部５内に示したＧＰＳ測位演算部６、ＧＰＳ受信信号強度測定部７、及びＧＰＳアシストデータ取得制御部４は、制御部５が備えたＣＰＵにより実行されるプログラムである（これらの動作については後述する）。また、記憶部８のデータエリアは、システムエリア及びユーザデータエリアを有する。システムデータエリアには、各種操作画面を形成する画面データの他、図２に示すようにＧＰＳアシストデータ１２が記憶される。
【００３０】
無線通信部３は、データ通信時には制御部５の制御によりアンテナＡＮＴを介して基地局（図３の３０２）とデータ授受を行う。また、無線通信部３は、音声通話時にはアンテナＡＮＴを介して受信復調した音声データを制御部５に出力する一方、制御部５から供給される音声データを変調して得た送信信号を高周波増幅してアンテナＡＮＴから送出する。
【００３１】
音声信号処理部１３は、スピーカ１６及びマイク１７を備え、制御部５から供給される音声データを音声信号にＤ／Ａ変換してスピーカ１６から発音させ、またマイク１７から出力される音声信号を音声データにＡ／Ｄ変換して制御部５に供給する。
【００３２】
操作部１４は、パワーオンオフする電源スイッチ、通話開始／終了時に操作されるオフフック／オンフックスイッチ、ダイヤルスイッチと兼用の文字入力スイッチ等の各種操作キーを有し、これらキーやボタンの操作に応じた操作イベントを発生して制御部５に出力する。表示部１５は、カラー液晶パネル及び表示ドライバから構成され、制御部５の制御により待受画面など各種画面を表示する。
【００３３】
ＧＰＳ信号受信部２は、制御部５の制御の下、図２に示すように、記憶部８に格納されたＧＰＳアシストデータ１２に基づいてＧＰＳアンテナＧＳＰ−ＡＮＴを介して、ＧＰＳ衛星（図３の１００ａ〜ｃ）を捕捉し、捕捉したＧＰＳ衛星から取得したＧＰＳ信号Ｃ１＿ｉ（ｉ＝１〜ｎ）を制御部５に出力する。ここで、第１の実施形態では、Ａ−ＧＰＳ方式を使用しており、ＧＰＳ信号Ｃ１＿ｉは、時刻信号のみを含んだ信号である。
【００３４】
（第１の実施形態の動作）
次に、第１の実施形態の動作について、図２〜６を参照しながら説明する。まず、図３を参照しながら、ＧＰＳアシストデータＣ２をＳＵＰＬサーバ３００から取得する動作について説明する。以下に、図３に示す（１）〜（４）の各ステップの動作について説明する。まず、通信端末装置１１は、位置登録した基地局３０２に対して測位要求を送信する（１）。続いて、基地局３０２は、通信端末１１から受信した測位要求及び自局の位置情報を、ネットワーク３０１を介してＳＵＰＬサーバ３００に送信する（２）。続いて、ＳＵＰＬサーバ３００では、基地局３０２から測位要求及び基地局の位置情報を受信した場合、その測位要求を出した基地局３０２の位置におけるＧＰＳアシストデータＣ２を読み出し、読み出したＧＰＳアシストデータＣ２を基地局３０２に配信する（３）。続いて、基地局３０２では、ＳＵＰＬサーバ３００から配信されたＧＰＳアシストデータＣ２に、基地局３０２の位置情報を付加して通信端末１１に送信する（４）。
【００３５】
続いて、通信端末１１では、無線通信部３が、基地局３０２から送信されたＧＰＳアシストデータＣ２を受信し、記憶部８にＧＰＳアシストデータ１２として格納する。
【００３６】
次に、図２の制御部５のＧＰＳ測位演算部６、ＧＰＳ受信信号強度測定部７、及びＧＰＳアシストデータ取得制御部４の各動作について説明する。まず、ＧＰＳ測位演算部６は、ＧＰＳ信号受信部２が受信したＧＰＳ信号Ｃ１＿ｉとＧＰＳアシストデータＣ２（記憶部８に格納されたＧＰＳアシストデータ１２から読み出したもの）とを用いて測位演算を行い、現在位置情報Ｃ５を出力する。ここで、測位演算に必要なＧＰＳ衛星の捕捉数は、通常４つ以上と言われており、４つの以上のＧＰＳ信号Ｃ１＿ｉからの時刻信号を取得することにより測位演算を行うことができる。また、ＧＰＳシステムによっては、測位演算に必要なＧＰＳ衛星の捕捉数は３個以上の場合もある。
【００３７】
次に、ＧＰＳ受信信号強度測定部７は、所定時間毎に受信したＧＰＳ信号Ｃ１＿ｉの受信信号強度を測定し、ＧＰＳ信号の受信信号強度Ｃ４＿ｉを出力する。このようにして測定されたＧＰＳ信号の受信信号強度Ｃ４＿ｉは、図４、図５に示すような時系列信号となる。
【００３８】
次に、ＧＰＳアシストデータ取得制御部４の動作について、図４を参照しながら説明する。図４は通信端末１１のＧＰＳアシストデータ取得制御部４を説明するための図である。前述したように、図４はＧＰＳ受信信号強度測定部７で測定されたＧＰＳ信号の受信信号強度Ｃ４＿ｉ（ｉ＝１〜ｎ）のうちの１つの時系列データを示している。
【００３９】
図４において、ＧＰＳアシストデータＣ２の更新タイミングα１の後、通信端末１１の内部タイマ１９の設定をΔαにして、次回のＧＰＳアシストデータＣ２を更新する予定の時刻α２までのカウントダウンを開始する。時刻β１において、ＧＰＳ信号の受信信号強度Ｃ４＿ｉのいずれかが閾値Ｐｔｈを下回り、その結果、ＧＰＳ信号の受信信号強度Ｃ４＿ｉが閾値Ｐｔｈ以上を維持している数が４より少なくなると、ＧＰＳアシストデータＣ２の更新間隔Ｃ３をΔαからΔβ（但し、Δβ＜Δα）に変更する。具体的には、時刻β１において内部タイマ１９の設定をΔβにして再起動し、時刻β２までのカウントダウンを開始する。そして、期間Δβが経過して、時刻β２になったタイミングで、ＧＰＳアシストデータＣ２を更新する。
【００４０】
尚、時刻β１以降、ＧＰＳ信号の受信信号強度Ｃ４＿ｉを測定する毎に、ＧＰＳ信号の受信信号強度Ｃ４＿ｉが閾値Ｐｔｈ以上を維持している数が４以上か否かを評価し、４以上に回復していると判定した場合には、その時点で、ＧＰＳアシストデータの更新間隔Ｃ３をΔβからΔαに戻すようにする。
【００４１】
尚、ΔαからΔβに変更する場合と、ΔβからΔαに戻す場合とで、判定に使用する閾値Ｐｔｈを、必要に応じて異なる値に設定してもよい。
【００４２】
以上のように、次回のＧＰＳアシストデータＣ２の更新タイミングであるΔαの経過を待つより、時刻β２でＧＰＳアシストデータを更新してＧＰＳ測位をやり直したほうが、ＧＰＳアシストデータの実際位置とのズレが小さいので、結果として、ＧＰＳ測位にかかる時間を短くできる可能性が高くなる。
【００４３】
逆に、次回のＧＰＳアシストデータＣ２の更新タイミングであるΔαの経過を待った場合、ＧＰＳ信号の受信信号強度が弱い環境下では、ＧＰＳ信号の受信信号品質が悪い上に、ＧＰＳアシストデータの実際位置とのズレにより広い範囲をサーチする必要性からＧＰＳ測位に時間がかかり、ＧＰＳ測位結果を確定できない等の問題が発生する場合がある。そのような場合には、時刻α２でＧＰＳアシストデータが更新されてからＧＰＳ測位をやり直すことになり、ＧＰＳ測位に時間がかかってしまう。
【００４４】
以上のように、ＧＰＳ信号の受信信号強度Ｃ４＿ｉが小さい場合には、ＧＰＳ信号の受信信号強度が弱い環境下であることを検知して、Ｃ４＿ｉが閾値Ｐｔｈ以上となる数が４より少なくなったことを契機にＧＰＳアシストデータの更新を早めるようにしている。
【００４５】
ところで、図５に示す状況を考えてみると、時刻β１で、Ｃ４＿ｉが閾値Ｐｔｈ以上の数が４より少なくなると、時刻β１において、ＧＰＳアシストデータの更新間隔Ｃ３をΔβにしてしまうと、次回の更新タイミングが、α２よりも後になり却って遅いタイミングで更新してしまうことになる。そこで、ＧＰＳアシストデータ取得制御部４では、ＧＰＳアシストデータの更新間隔Ｃ３を変更する場合には、次回の更新タイミングが遅くなることがないかを判定し、遅くなる場合には、時刻β１でＧＰＳアシストデータの更新間隔Ｃ３を変更しないようにする。
【００４６】
次に、図６を参照しながら、ＧＰＳアシストデータ取得制御部４の動作についてより詳細に説明する。但し、図６の説明において、上述した図４、図５の説明と重複する場合には、説明を省略する。
【００４７】
まず、ＧＰＳアシストデータの更新間隔Ｃ３をディフォルトのΔαに設定する（Ｓ１０）。続いて、ステップＳ１１〜Ｓ１３では、ｎ個のＧＰＳ信号の受信信号強度Ｃ４＿ｉのうち、閾値Ｐｔｈ以上となる数をカウントし、カウント値ｃｏｕｎｔを出力している。
【００４８】
次に、カウント値ｃｏｕｎｔが、ＧＰＳ測位に必要なＧＰＳ衛星の捕捉数（例えば、４つ）以上であるか否かを判定する（Ｓ１４）。ステップＳ１４でＹｅｓの場合は、ＧＰＳアシストデータの更新間隔Ｃ３はディフォルト値のΔαのままでよいので、ＧＰＳアシストデータの更新間隔Ｃ３の変更は必要ない。ステップＳ１５、Ｓ１６は、ステップＳ１５に入る前に短い更新間隔Δβが設定されている場合に、元のディフォルトのＧＰＳアシストデータの更新間隔Δαに戻す処理を行うためのものである。
【００４９】
次に、ステップＳ１４でＮｏの場合は、図４の時刻β１の場合に相当し、ステップＳ１８の処理を行う。ステップＳ１８では、ＧＰＳアシストデータの更新間隔Ｃ３をディフォルトのΔαよりも短いΔβに設定する。また、ステップＳ１７は、図５のようなケースに対応したもので、ＧＰＳアシストデータの更新間隔Ｃ３の変更により次回の更新タイミングが遅くなるか否かの判定を行い、遅くなってしまうと判定された場合（ステップＳ１７でＮｏの場合）には、ステップＳ１８の処理を行わないようにする。
【００５０】
また、ステップＳ１５では、次回の更新が間近である場合には、ＧＰＳアシストデータの更新間隔Ｃ３をΔαに戻す処理を行わないようにする判定をしている。
【００５１】
以上説明したように、第１の実施形態では以下に示す効果が得られる。
【００５２】
通信端末１１がＧＰＳ信号の受信信号強度が弱い環境下あった場合に、ＧＰＳ信号の受信信号強度が弱くなっていることを検知し、検知したＧＰＳ信号の受信信号強度に基づいてＧＰＳアシストデータＣ２を更新するタイミングを早めることができる。更新されたＧＰＳアシストデータＣ２では、実際位置とのズレが小さいので、更新されたＧＰＳアシストデータＣ２を用いてＧＰＳ測位をやり直すことで、結果として、ＧＰＳ測位にかかる時間を短くできる可能性が高くなるという効果が得られる。
【００５３】
また、通信端末１１がＧＰＳ信号の受信信号強度が弱い環境下あった場合に、ＧＰＳ測位結果を確定することができないという問題が発生する可能性を小さくすることができるという効果が得られる。
【００５４】
また、時間経過により実際位置とのズレが大きくなったＧＰＳアシストデータを使用する場合に対し、実際位置とのズレが小さいＧＰＳアシストデータを使用したほうが、ＧＰＳアシストデータ更新に使用する消費電流が増えても、ＧＰＳ測位の際に発生する消費電流を抑えることができ、全体として消費電流を抑えることが可能になる。
【００５５】
尚、第１の実施形態の変形例として、以下に示す構成も可能である。ＧＰＳ信号の受信信号強度が強い環境下では、ＧＰＳ捕捉の際に広い範囲をサーチすることになっても許容時間内にＧＰＳ測位ができる可能性が高い。そこで、ＧＰＳ信号の受信信号強度が所定値よりも大きい場合には、ＧＰＳアシストデータの更新間隔Ｃ３を長くなるように制御してもよい。これにより、ＧＰＳ測位性能を維持した上で、ＧＰＳアシストデータの更新による消費電流を削減することができる。
【００５６】
（第２の実施形態）
次に、第２の実施形態について、図７を参照しながら詳細に説明する。第２の実施形態は、第１の実施形態に対して、ＧＰＳアシストデータＣ２を取得する方式が、異なっている。以下では、その点を中心に説明する。
【００５７】
図７において、屋内の環境で近くにＮＦＣ（Near Field Communication）を搭載したＰＣ（Personal Computer）２２がある場合を想定している。この場合、通信端末１１１は、基地局３０２からではなくＰＣ２２からＧＰＳアシストデータＣ２を取得することができる。ここで、通信端末１１１はＮＦＣ通信部２３を備えている。通信端末１１１のユーザは、ＰＣ２２の近くに通信端末１１１を置くだけで、近距離無線通信によりＰＣ２２と通信してＧＰＳアシストデータＣ２を取得することができる。
【００５８】
屋内の環境下では、ＧＰＳ信号の受信信号強度が低く、該ＧＰＳ信号の受信信号強度に基づいてＧＰＳアシストデータの更新間隔Ｃ３を短くすることにより、ＧＰＳ測位にかかる時間を短くする可能性を高くすることができる。
【００５９】
また、通信端末１１１が屋内でＧＰＳ測位した現在位置情報を他の通信端末に送信することにより、通信端末１１１の現在位置を通知する場合等に適用することができる。
【００６０】
尚、近距離無線通信の方式としては、ＮＦＣ以外にも種々の規格があり、同様に適用することができる。具体的には、例えば、FeliCa（登録商標）、Bluetooth（登録商標）、ZigBee（登録商標）のIEEE 802.15、TransferJet（登録商標）等が適用可能である。
【００６１】
尚、制御部５のＧＰＳ測位演算部６、ＧＰＳ受信信号強度測定部７、ＧＰＳアシストデータ取得部４等が実行する各々の処理は、記憶部８にプログラムとして格納され、制御部５が備えたコンピュータによって呼び出されて実行される。また、そのプログラムは、ネットワークを介してダウンロードするか、或いは、プログラムを記憶した記憶媒体を用いて、更新することができる。
【産業上の利用可能性】
【００６２】
本発明は、ＧＰＳ測位機能を備えた通信端末全般に好適に適用され、具体的には、ゲーム機、タブレットＰＣ（Ｐｅｒｓｏｎａｌ  Ｃｏｍｐｕｔｅｒ）、ノートＰＣ、ＰＤＡ（Ｐｅｒｓｏｎａｌ  Ｄａｔａ  Ａｓｓｉｓｔａｎｔｓ：携帯情報端末）、デジタルカメラ等に適用される。
【００６３】
なお、本発明の全開示（請求の範囲及び図面を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００６４】
１、１１、１１１：通信端末
２：ＧＰＳ信号受信部
３：無線通信部
４：ＧＰＳアシストデータ取得制御部
５：制御部
６：ＧＰＳ測位演算部
７：ＧＰＳ受信信号強度測定部
８：記憶部
１２：（記憶部の）ＧＰＳアシストデータ
１３：音声信号処理部
１４：操作部
１５：表示部
１６：スピーカ
１７：マイク
１９：内部タイマ
２２：ＰＣ（電子機器）
２３：ＮＦＣ通信部
１００ａ〜ｃ：ＧＰＳ衛星
３００：ＳＵＰＬサーバ（ＧＰＳアシストサーバ）
３０１：ネットワーク
３０２：基地局
ＡＮＴ：アンテナ
ＧＰＳ−ＡＮＴ：ＧＰＳアンテナ
Ｃ１、Ｃ１＿ｉ（ｉ＝１〜ｎ）：ＧＰＳ信号
Ｃ２：ＧＰＳアシストデータ
Ｃ３、Δα、Δβ：ＧＰＳアシストデータの更新間隔
Ｃ４、Ｃ４＿ｉ（ｉ＝１〜ｎ）：ＧＰＳ信号の受信信号強度
Ｃ５：現在位置情報
【図１】
2014169903.tif 000003
【図２】
2014169903.tif 000004
【図３】
2014169903.tif 000005
【図４】
2014169903.tif 000006
【図５】
2014169903.tif 000007
【図６】
2014169903.tif 000008
【図７】
2014169903.tif 000009